(57)【要約】【課題】拡大ハウジングの変形や割れを阻止しつつ、拡大ハウジング成形用の合成樹脂使用量の減少化を図る。【解決手段】拡大ハウジング２（外側筒状部２ａ，中央上筒状部２ｂ，環天井部２ｃおよび中央下筒状部２ｄ）の全体が、プラスチック製の一体成形物である。外側筒状部２ａと中央上筒状部２ｂとの間に強度アップ用の縦板リブ状部２ｈを同じく一体成形する。中央上筒状部２ｂの、内容物通過用の縦溝状部２ｆが設けられていない部分の外周面側に縦凹状部２ｇを形成してその分だけ当該中央上筒状部自体の厚みを小さくする。縦板リブ状部２ｈを、外側筒状部２ａの内周面と、中央上筒状部２ｂの縦溝状部２ｆの裏側外周面部分（縦凹状部２ｇが形成されず外側筒状部内周面に近い部分）との間の、当該縦凹状部までよりも短い部分に形成している。【選択図】図３
2015107809.tif 000002
【特許請求の範囲】
【請求項１】
放出対象内容物および噴射用ガスを充填する容器本体の開口側に取り付けられる外側筒状部と、
前記外側筒状部の内側に形成されて、内容物放出操作に連動するステムの少なくとも下側部分を収容する中央筒状部と、
前記外側筒状部および前記中央筒状部それぞれの上端部分同士の間に形成された環天井部と、
前記外側筒状部と前記中央筒状部との間に構造強度を高めるため形成されたリブ状部と、からなり、
前記外側筒状部，前記中央筒状部，前記環天井部および前記リブ状部の全体が合成樹脂により一体成形されたものである、
ことを特徴とするエアゾールハウジング機構。
【請求項２】
前記リブ状部は、
前記中央筒状部から前記外側筒状部にかけて放射状に複数形成されている、
ことを特徴とする請求項１記載のエアゾールハウジング機構。
【請求項３】
前記中央筒状部は、
その内周面の一部に内容物通過用の縦溝状部が形成され、
その外周面の一部であって当該縦溝状部が設けられていない内周面部分の裏側に、縦凹状部が形成されている、
ことを特徴とする請求項１または２記載のエアゾールハウジング機構。
【請求項４】
前記リブ状部は、
前記外側筒状部の内周面と、前記中央筒状部の前記縦溝状部の裏側外周面部分との間に形成されている、
ことを特徴とする請求項３記載のエアゾールハウジング機構。
【請求項５】
前記環天井部は、
内端側に形成されて、前記ステムとの間の弁作用を呈するステムガスケットの外周縁部分を保持する環状の下段部と、
当該下段部の上側に形成されて、当該ステムガスケットの上面部分に設けられる内容物漏れ防止用で環状のプラスチック製カバー体の外周縁部分を保持する、環状の上段部と、
を備えている、
ことを特徴とする請求項１乃至４のいずれかに記載のエアゾールハウジング機構。
【請求項６】
前記外側筒状部は、
その外周面が、
前記環天井部を覆う環状の金属製カバー体の外端側の筒状垂下部と、
外容器の一部であって、当該筒状垂下部の内側に配設された上端側環状部と、
当該外容器の内部空間域に設けられた内容器の一部であって、当該上端側環状部の内側に配設された上端内側環状部と、
の三層状態で保護されている、
ことを特徴とする請求項１乃至５のいずれかに記載のエアゾールハウジング機構。
【請求項７】
請求項１乃至６のいずれかに記載のエアゾールハウジング機構を備えて、前記容器本体に放出対象内容物および噴射用ガスを収容した、
ことを特徴とするエアゾール式製品。
【発明の詳細な説明】
【技術分野】
【０００１】
本発明は、放出対象内容物およびその噴射用ガスが入れられるエアゾール容器の開口側に取り付けられて、かつ、内部に弁作用部材としてのステムおよびステムガスケットなどの収容保持部を備えたもので、その全体が一体成形されたプラスチック製のエアゾールハウジング機構に関する。
【０００２】
特に、従前の、エアゾール容器本体の開口側に取り付けられるマウンティングキャップと、これに保持されてステム下側部分などを収容するハウジングと、の計二個のパーツをプラスチック製の一体成形品とした態様のものである。
【０００３】
なお、本明細書においては、このマウンティングカップおよびハウジングの全体を一体成形したものを、必要に応じて「拡大ハウジング」と記す。
【０００４】
本発明は、この拡大ハウジングからなるエアゾールハウジング機構の強度を確保しつつ、拡大ハウジング成形用の合成樹脂使用量を減らすようにしたものである。
【背景技術】
【０００５】
上述の拡大ハウジングを用いたエアゾールハウジング機構は提案済みである（後述の特許文献１，特許文献２参照）。
【０００６】
この提案済みの拡大ハウジングは、マウンティングカップとこれに取り付けられるハウジングとを個々に作成して双方を一体化するといった作業工程の手間を省き、また、この一体化の際にハウジングが変形したり、破損したりすることを阻止できるといった利点を備えたものである。
【０００７】
その一方で、拡大ハウジングの成形に必要な合成樹脂量を極力減らしつつ、エアゾールハウジング機構としての強度を維持するといった点で改善の余地を残している。
【先行技術文献】
【特許文献】
【０００８】
【特許文献１】実開昭６２−３４７６号公報
【特許文献２】特開平８−１６９４８２号公報
【発明の概要】
【発明が解決しようとする課題】
【０００９】
本発明では、
(11)拡大ハウジングを構成する外側筒状部と中央筒状部との間に、強度アップ用のリブ状部を一体成形し、
(12)リブ状部を、外側筒状部および中央筒状部それぞれの径方向に形成し、
(13)中央筒状部の、内容物通過用の縦溝状部が設けられていない内周面部分の外周面側に縦凹状部を形成して、当該中央筒状部自体の厚みを小さくし、
(14)リブ状部を、外側筒状部の内周面と、中央筒状部内周面の縦溝状部の裏側外周面部分（＝縦凹状部が形成されず、当該縦凹状部よりも外側筒状部内周面に近い部分）との間に形成し、すなわち外側筒状部内周面と中央筒状部外周面との間でより短い部分を選んで形成し、
(15)外側筒状部と中央筒状部との間の環天井部に、ステムガスケットの上面に配設されたプラスチック製で二重シール用の中間カバー体を保持し、
(16)外側筒状部の外周面を、エアゾール容器（外側容器）および内側容器，内側袋状部それぞれの上端サイドの環状部と、拡大ハウジングの環天井部などに対するカバーキャップの外側環状垂下部の三層部材により保護し、
(17)内側袋状部を使用する二重エアゾール容器のハウジング中央筒状部の周回部分に、内容物流入用のスリット状部を付加的に設ける、すなわち通常の中央筒状部底部分に形成された縦方向孔部とは別に設ける、
といった構成態様にしている。
【００１０】
本発明は、これらの構成態様をとることにより、拡大ハウジングの変形や割れを阻止しつつ、拡大ハウジング成形用の合成樹脂使用量の減少化を図ることを目的とする。
【００１１】
また、ステムガスケットから仮に漏れる内容物に対してのシール作用の十全化を図ることを目的とする。
【００１２】
また、プラスチック製の（中央筒状部に配設されるステム付勢用の）コイルスプリング，内側容器，内側袋状部および二重シール用の中間カバー体を用いることにより、放出対象内容物が触れる範囲全体の金属レス化を図ることを目的とする。
【００１３】
また、ハウジング中央筒状部の周回部分に内外連通用のスリット状部を設けることにより、内側袋状部がその内容物減少にともなって中央筒状部下側に当接した場合にもその上方空間域における残留内容物のハウジング流入動作の確実化を図ることを目的とする。
【課題を解決するための手段】
【００１４】
本発明は、以上の課題を次のようにして解決する。
（１）放出対象内容物および噴射用ガスを充填する容器本体（例えば後述のエアゾール容器１）の開口側（例えば後述の上端環状部１ｂ）に取り付けられる外側筒状部（例えば後述の外側筒状部２ａ）と、
前記外側筒状部の内側に形成されて、内容物放出操作に連動するステム（例えば後述のステム３）の少なくとも下側部分を収容する中央筒状部（例えば後述の中央上筒状部２ｂ，中央下筒状部２ｄ）と、
前記外側筒状部および前記中央筒状部それぞれの上端部分同士の間に形成された環天井部（例えば後述の環天井部２ｃ）と、
前記外側筒状部と前記中央筒状部との間に構造強度を高めるため形成されたリブ状部（例えば後述の縦板リブ状部２ｈ）と、からなり、
前記外側筒状部，前記中央筒状部，前記環天井部および前記リブ状部の全体が合成樹脂により一体成形された、
構成態様のエアゾールハウジング機構を用いる。
（２）上記（１）において、
前記リブ状部は、
前記中央筒状部から前記外側筒状部にかけて放射状に複数形成された、
構成態様のものを用いる。
（３）上記（１），（２）において、
前記中央筒状部は、
その内周面の一部に内容物通過用の縦溝状部（例えば後述の縦溝状部２ｆ）が形成され、
その外周面の一部であって当該縦溝状部が設けられていない内周面部分の裏側に、縦凹状部（例えば後述の縦凹状部２ｇ）が形成された、
構成態様のものを用いる。
（４）上記（３）において、
前記リブ状部は、
前記外側筒状部の内周面と、前記中央筒状部の外周面の一部であって前記縦溝状部の裏側に相当する外周面部分と、の間に形成された、
構成態様のものを用いる。
（５）上記（１）〜（４）において、
前記環天井部は、
その内端側に形成されて、前記ステムとの間の弁作用を呈するステムガスケット（例えば後述のステムガスケット５）の外周縁部分を保持する環状の下段部（例えば後述の下内側段部２ｋ）と、
当該下段部の上側に形成されて、当該ステムガスケットの上面部分に設けられる内容物漏れ防止用で環状のプラスチック製カバー体（例えば後述の中間カバー体７）の外周縁部分を保持する、環状の上段部（例えば後述の上外側段部２ｍ）と、
を備えた、
構成態様のものを用いる。
（６）上記（１）〜（５）において、
前記外側筒状部は、
その外周面が、
前記環天井部を覆う環状の金属製カバー体（例えば後述のカバーキャップ８）の外端側の筒状垂下部（例えば後述の環状垂下部８ｂ）と、
外容器（例えば後述のエアゾール容器１）の一部であって、当該筒状垂下部の内側に配設された上端側環状部（例えば後述の上端環状部１ｂ）と、
当該外容器の内部空間域に設けられた内容器（例えば後述の内側容器１ｄ，内側袋状部１ｇ）の一部であって、当該上端側環状部の内側に配設された上端内側環状部（例えば後述の上端内側環状部１ｅ，１ｈ）と、
の三層状態で保護された、
構成態様のものを用いる。
【００１５】
本発明の対象は、このような構成からなるエアゾールハウジング機構、およびこのエアゾールハウジング機構を備えて後述の各種の放出対象内容物，噴射用ガスを収容したエアゾール式製品である。
【発明の効果】
【００１６】
本発明は以上の課題解決手段により、
(21)拡大ハウジングの変形や割れを阻止しつつ、拡大ハウジング成形用の合成樹脂使用量の減少化を図り、
(22)ステムガスケットから仮に漏れる内容物に対してのシール作用の十全化を図り、
(23)放出対象内容物が触れる範囲全体の金属レス化を図る、
ことができる。
【図面の簡単な説明】
【００１７】
【図１】拡大ハウジングからなるハウジング機構を取り付けたエアゾール容器（外側容器）およびその内側容器などを示す説明図である。
【図２】拡大ハウジングからなるハウジング機構を取り付けたエアゾール容器（外側容器）および内側袋状部などを示す説明図である。
【図３】図１および図２の拡大ハウジングを上方側からみたときの斜視状態を示す説明図である。
【図４】図１および図２の拡大ハウジングを下方側からみたときの斜視状態を示す説明図である。
【図５】図２の拡大ハウジングの中央上筒状部周回部分に内容物流入用で縦方向のスリット状部を形成し、かつ、このスリット状部の流入口面積設定用の流量調整部材を中央筒状部に取り付けた状態を示す説明図である。
【発明を実施するための形態】
【００１８】
図１〜図５を用いて本発明を実施するための形態を説明する。
【００１９】
なお、以下のアルファベット付き参照番号の構成要素（例えば容器内面１ａ）は原則として、当該参照番号の数字部分の構成要素（例えばエアゾール容器１）の一部であることを示している。
【００２０】
図１乃至図５において、
１は放出対象内容物および噴射用ガスが収容（充填）される周知のエアゾール容器（外側容器），
１ａは当該エアゾール容器の内部空間域側の容器内面，
１ｂは当該エアゾール容器の上端側であって、後述の拡大ハウジング２などが配設される上端環状部，
１ｃは上端環状部１ｂに後述のカバーキャップ８をセットした状態で、その環状垂下部８ｂの下端側を内方に向けて周知のクリンプ加工により塑性変形させて固定するための、当該エアゾール容器の環へこみ状部，
１ｄは当該エアゾール容器の内側に配設されて、例えば自らの内部空間域に放出対象内容物および噴射用ガスを収容する上開口で軟性の内側容器（図１参照），
１ｅは内側容器１ｄの上端側であって、当該エアゾール容器の上端環状部１ｂと後述の外側筒状部２ａとの間に配設保持される上端内側環状部，
１ｆは自らのブロー成型のときに形成されて、当該エアゾール容器の環へこみ状部１ｃの内側に配設される内側容器１ｄの内側環へこみ状部， 
１ｇは当該エアゾール容器の内側に配設されて、その外側の容器内面１ａとの間に噴射用ガスを収容し、かつ、その内部空間域に放出対象内容物を収容する内側容器としての、上開口で軟性の内側袋状部（図２参照），
１ｈは内側袋状部１ｇの上端側であって、当該エアゾール容器の上端環状部１ｂと後述の外側筒状部２ａとの間に配設保持される上端内側環状部，
１ｊは当該エアゾール容器の環へこみ状部１ｃの内側に配設され、上端内側環状部１ｈの下端側に設定された内側袋状部１ｇの内側環へこみ状部，
１ｋは内側袋状部１ｇの上側部分に形成されて、内容物収容済みの当該内側袋状部が取り付けられた後述のハウジング機構をエアゾール容器１に固定する前の自然長の伸状態では、上端環状部１ｂの上端と上端内側環状部１ｈとの間からそれに続く内部空間域に噴射用ガスを充填でき、かつ、噴射用ガスを充填した直後のカバーキャップ８の押し下げに伴って、当該内側袋状部の内側環へこみ状部１ｊが、図２に示すように当該カバーキャップのクリンプ加工位置の対応部分まで収縮する、上下方向の伸縮機能を備えた蛇腹状部分，
をそれぞれ示している。
【００２１】
また、
２は従前のマウンティングカップの機能も併せ備えてその全体がプラスチック素材により一体成形されたものであり、エアゾール容器１の上端環状部１ｂ（開口部分）に配設されて、中央筒状部分には後述のステム３，コイルスプリング４およびステムガスケット５などの周知のバルブ機構が収容保持される拡大ハウジング，
２ａは自外周面に、その外方に向かって、内側容器１ｄ，内側袋状部１ｇの上端内側環状部１ｅ，１ｈと、エアゾール容器１の上端環状部１ｂと、後述のカバーキャップ８の環状垂下部８ｂとが、いわば三層状態で配設される外側筒状部，
２ｂは外側筒状部２ａと同一の上下方向中心軸を持ち、後述のステム３の下側部分およびコイルスプリング４を収容保持する大径の中央上筒状部，
２ｃは外側筒状部２ａと中央上筒状部２ｂとの間のいわば天板部分として作用する環天井部，
２ｄは中央上筒状部２ｂから下方に連続形成されて、後述のパイプ９を取り付けるための小径の中央下筒状部，
２ｅは外側筒状部２ａの上端側外周面に形成されて、後述のハウジングガスケット６の内周面を保持する外側環凹状部，
２ｆは中央上筒状部２ｂの内周面に等間隔で飛び飛びに形成された計六個の内容物通過用の縦溝状部，
２ｇは中央上筒状部２ｂの外周面であって、縦溝状部２ｆが設けられていない内周面部分の裏側に等間隔で飛び飛びに形成された計六個の成形樹脂量低減用の縦凹状部，
２ｈは外側筒状部２ａの内周面と、中央上筒状部２ｂの外周面における縦溝状部２ｆの裏側部分（＝縦凹状部２ｇが形成されていない部分）との間の当該外側筒状部および当該中央上筒状部の径方向に、環天井部２ｃまで続く上下平板態様で等間隔の飛び飛びに形成された計六個の強度アップ用の縦板リブ状部，
２ｊは中央上筒状部２ｂと中央下筒状部２ｄとの境界部分に形成された内容物通過用の縦方向孔部，
２ｋは環天井部２ｃの最内側部分に形成されて後述のステムガスケット５を保持する環状の下内側段部，
２ｍは下内側段部２ｋの外方直上部分に形成されて、後述の中間カバー体７を保持する環状の上外側段部，
２ｎは環天井部２ｃの外端側の、外側筒状部２ａから外方に飛び出した部分であって、後述のハウジングガスケット６の上端面を保持する環鍔状部，
２ｐは中央上筒状部２ｂの縦凹状部２ｇ（および縦溝状部２ｆが形成されていない内周面縦方向部分）に形成されて、当該中央上筒状部の内外間の内容物移動用開口部として作用する縦スリット状部，
２ｑは中央上筒状部２ｂの外周面の縦凹状部２ｇに下から嵌められていく縦方向凸状部と、その両隣で、縦溝状部２ｆが形成されていない部分の裏側外周面に対応した縦方向凹状部とが、内周面に交互に形成された部材であり、当該縦凹状部などに取り付けられた状態で縦スリット状部２ｐの下側部分を塞ぐことにより、当該縦スリット状部の内容物移動用の開口実面積を調整する筒状の流量調整部材，
２ｒは流量調整部材２ｑの内周面下側部分に形成されて、中央上筒状部２ｂの環状下面と係合する環状段部，
をそれぞれ示している。
【００２２】
また、
３は操作ボタン（図示省略）に取り付けられて上下方向に連動し、後述のステムガスケット５との間で弁作用を呈する周知のステム，
３ａは放出対象内容物や噴射用ガスの内部通路域，
３ｂは作動モードにおいて内部通路域３ａと中央上筒状部２ｂの内側空間域とを連通させる一対のステム孔部，
３ｃはステム孔部３ｂを含む形のステム外周面周方向に形成されて、後述のステムガスケット５との間の弁作用を呈する内側環凹状部，
をそれぞれ示している。
【００２３】
また、
４は中央上筒状部２ｂの底面部分とステム３との間に配設されて、当該ステムを上方向に付勢する周知のコイルスプリング，
５は拡大ハウジング２の下内側段部２ｋおよびステム３の内側環凹状部３ｃに保持されて、ステム孔部３ｂへの弁作用および中央上筒状部２ｂの内部空間域のシール作用を呈する環状のステムガスケット，
６はエアゾール容器１，内側容器１ｄ，内側袋状部１ｇそれぞれの上端環状部および拡大ハウジング２の外側環凹状部２ｅ，環鍔状部２ｎに密接してシール作用を呈する環状のハウジングガスケット，
７はステムガスケット５の内端側を除く上面部分を覆う形で拡大ハウジング２の上外側段部２ｍに保持されて、当該ステムガスケットと拡大ハウジング２（下内側段部２ｋ）との間でのシール漏れ分への、いわば二重シール作用を呈する環状の中間カバー体，
をそれぞれ示している。
【００２４】
また、
８は中間カバー体７を押圧保持し、かつ、ハウジングガスケット６などをいわば内部に組み込んだ状態で、クリンプ加工により、エアゾール容器１および内側容器１ｄ（または内側袋状部１ｇ）の上端環状部１ｂ，上端内側環状部１ｅ，１ｈそれぞれの下端側を内側に変形させて、エアゾール容器側と拡大ハウジング２とを密に一体化する例えばアルミ製のカバーキャップ，
８ａは当該カバーキャップの上面内端側に設定されて中間カバー体７を押圧保持する上側環凹状部，
８ｂは当該カバーキャップの外端側に形成された環状垂下部，
８ｃは上記クリンプ加工により環状垂下部８ｂの下端側に形成された外側環へこみ状部，
９は内側容器１ｄを用いるタイプのエアゾール式製品において、拡大ハウジング２の中央下筒状部２ｄに取り付けられた内容物流入用のパイプ（図１参照），
をそれぞれ示している。
【００２５】
ここで、内側容器１ｄ，内側袋状部１ｇ，拡大ハウジング２，ステム３，コイルスプリング４，中間カバー体７およびパイプ９などはポリプロピレン，ポリエチレン，ポリアセタール，ナイロン，ポリブチレンテレフタレートなどからなるプラスチック製のものである。
【００２６】
また、エアゾール容器１およびカバーキャップ８は金属製のものであり、ステムガスケット５およびハウジングガスケット６はプラスチック製，ゴム製のものである。
【００２７】
図示のエアゾールハウジング機構としての基本的特徴は、先ず、
(31)拡大ハウジング２を構成する、外側筒状部２ａ，中央上筒状部２ｂ，環天井部２ｃおよび中央下筒状部２ｄの全体が、プラスチック製の一体成形物であることを前提とし、
(32)外側筒状部２ａと中央上筒状部２ｂとの間に強度アップ用の縦板リブ状部２ｈを同じく一体成形している、
ことである。
【００２８】
さらには、
(33)縦板リブ状部２ｈの形成方向が、外側筒状部２ａおよび中央上筒状部２ｂそれぞれの径方向であり、
(34)中央上筒状部２ｂの、縦溝状部２ｆが設けられていない部分それぞれの外周面側に縦凹状部２ｇを形成して、その分、当該中央上筒状部自体の厚みを小さくし、
(35)縦板リブ状部２ｈを、外側筒状部２ａの内周面と、中央上筒状部２ｂの縦溝状部２ｆの裏側外周面部分（＝縦凹状部２ｇが形成されず、当該縦凹状部よりも外側筒状部内周面に近い部分）と、の間に形成し、
(36)環天井部２ｃの中央上筒状部側に形成した上外側段部２ｍで、ステムガスケット５の上面に配設されたプラスチック製で二重シール用の中間カバー体７を保持し、
(37)外側筒状部２ａの外周面を、上端内側環状部１ｅ，１ｈ，上端環状部１ｂおよび環状垂下部８ｂの三層部材により保護し、
(38)内側袋状部１ｇを備えた二重容器において、その中央上筒状部２ｂの周回部分に内外連通用の縦スリット状部２ｐを設け、また、この縦スリット状部の内外連通用の実面積を調整するための流量調整部材２ｑを配設した、
ことなどである。
【００２９】
上記(31)，(32)，(33)のように、外側筒状部２ａと中央上筒状部２ｂとの間に縦板リブ状部２ｈを配設する態様で拡大ハウジング全体を一体成形することより、従前のいわゆるマウンティングカップ機能も併せ備えた拡大ハウジング２の強度を高めている。
【００３０】
そして縦板リブ状部２ｈの強度アップ作用により、拡大ハウジング２のその他の部分（外側筒状部２ａ，中央上筒状部２ｂおよび環天井部２ｃなど）の厚みを少しでも小さくして、当該拡大ハウジングの一体成形に必要な合計樹脂量の削減化を図っている。
【００３１】
また、上記(34)〜(35)のように、中央上筒状部２ｂの縦溝状部２ｆが存在しない部分の厚みを小さくしたり、縦板リブ状部２ｈのいわゆる径方向の長さを短くしたりすることによっても、同様に、拡大ハウジングの一体成形に必要な合計樹脂量の削減化を図っている。
【００３２】
また、上記(36)のように、ステムガスケット５の上面の、プラスチック製の中間カバー体７を拡大ハウジング２の上外側段部２ｍで保持することにより、内側容器１ｄや内側袋状部１ｇに収容された放出対象容物が接触しえる部分全体の金属レス化を図っている。
【００３３】
この中間カバー体７を省略した場合、拡大ハウジング２の下内側段部２ｋとステムガスケット５との当接部分のシール漏れや、内容物自体の浸透性や噴射用ガスの圧力により内容物がステムガスケット５を浸透・透過することにより、容器内の放出対象容物が金属製のカバーキャップ８に接触して、その劣化，変形や当該内容物自体の変性などが生じえる。
【００３４】
なお、容器内部の放出対象内容物の接触部分は、内側容器１ｄ，内側袋状部１ｇ，拡大ハウジング２，ステム３，コイルスプリング４，ステムガスケット５，ハウジングガスケット６，中間カバー体７およびパイプ９であって、すべて非金属製の構成要素である。図２の内側袋状部１ｇを用いるタイプではパイプ９が省略される。
【００３５】
また、上記(37)のように、外側筒状部２ａの側面（外周面）の周りを、上端内側環状部１ｅ，１ｈ，上端環状部１ｂおよび環状垂下部８ｂの三層態様で覆い、これにより、縦板リブ状部２ｈの補強作用とあいまって例えば当該環状垂下部への衝撃（カバーキャップの環状垂下部８ｂの下端側をクリンチしてハウジング機構をエアゾール容器に固定する際に加わる垂直下方に押し付けられる力やクリンチにより内側方向に加えられる力）に対する拡大ハウジング２の変形・破損防止化を図っている。
【００３６】
また、上記(38)のように、内側袋状部１ｇを備えた二重容器の場合に、その中央上筒状部２ｂに内外連通用の縦スリット状部２ｐを設け、また、この縦スリット状部の内外連通用の実面積を調整している。
【００３７】
これにより、多数回の内容物放出操作で内容物の量が少なくなった当該内側袋状部が縮んで、その一部が中央下筒状部２ｄにいわば絡み、縦方向孔部２ｊへの内容物流入作用が阻害されたときの、当該内側袋状部の上方空間域の残留内容物に対するハウジング内部（中央上筒状部２ｂの内部）への内容物通路の確保化を図っている。
【００３８】
さらには、縦スリット状部２ｐの内外連通用の実面積調整により、縦方向孔部２ｊへ内容物が正常に流入するときの、この流入量と、当該縦スリット状部からの内容物流入量とのバランスの最適化を図っている。
【００３９】
図１，図２は、ともに利用者が周知の操作ボタン（図示省略）に対する内容物放出操作をしていない、すなわちステム３がコイルスプリング４の弾性力により上方向に移動しきった状態の、静止モードを示している。
【００４０】
このとき、ステムガスケット５は略水平状態で、内側容器１ｄ，内側袋状部１ｇおよび中央上筒状部２ｂそれぞれの内部空間域と、ステム３の内部通路域３ａおよびステム孔部３ｂと、の間を遮断している。
【００４１】
すなわち、ステムガスケット５は、その内周面上部分がステム３の内側環凹状部３ｃの上底面部分に密接し、その下面内側部分が当該内側環凹状部の下側段部に密接している。
【００４２】
そのため、容器側（内側容器１ｄ，内側袋状部１ｇ，中央上筒状部２ｂなど）に収容されている内容物がステム３の内部通路域３ａに流入することはない。
【００４３】
利用者が、操作ボタンで、容器側の内容物が放出される作動モードの設定操作をおこなうと、ステム３がコイルスプリング４の上方向への付勢力に抗しながら下動する。それにともないステムガスケット５の内側部分（ステム３に当接している側の部分）がいわば「おじぎ」のように変形する。
【００４４】
このステム３の下動およびステムガスケット５の変形により、それまでの当該ステムガスケットの下面内側部分と内側環凹状部３ｃの下側段部との密接状態が解除される。
【００４５】
この密接状態解除により、拡大ハウジング２の中央上筒状部２ｂおよび内側容器１ｄ，内側袋状部１ｇそれぞれの内部空間域と、ステム３の内部通路域３ａとが連通する。
【００４６】
その結果、内側容器１ｄ，内側袋状部１ｇそれぞれの収容内容物が、噴射用ガスの作用により、「パイプ９−縦方向孔部２ｊ−中央上筒状部２ｂ−ステム孔部３ｂ−内部通路域３ａ」を経て周知の出力孔部（図示省略）から外部空間域に放出される。
【００４７】
なお、図１のエアゾール式製品の噴射用ガスは内側容器１ｄの中に充填され、図２のエアゾール式製品の噴射用ガスは容器内面１ａと内側袋状部１ｇとの間の閉空間域に充填されている。
【００４８】
利用者が操作ボタンに対する作動モード設定操作を解除すると、それまで下動位置にあったステム３がコイルスプリング４の弾性付勢力により上動して、エアゾール式製品は図１、図２の静止モードの状態に復帰する。
【００４９】
なお、本発明が図示の内容に限定されないことは勿論であり例えば、
(41)ステム３を駆動する操作部として押下げタイプ，傾動タイプ（スパウトタイプ）などの各種操作ボタンを用いる、
(42)縦板リブ状部２ｈの個数や厚み，形状などを任意に設定する、
(43)上記金属レス化の目的を捨象して、プラスチック製のコイルスプリングに代えて金属製のコイルスプリングを用いる、また、エアゾール容器１の内側容器１ｄや内側袋状部１ｇを省略する、
(44)縦スリット状部２ｐを、中央上筒状部２ｂの縦溝状部２ｆおよびその裏側の凸状外周面であって、縦板リブ状部２ｈの内側端面と重ならない部分に形成する、
ようにしてもよい。
【００５０】
噴射対象内容物としては、液状，発泡性（泡状），クリーム状、ペースト状，ジェル状，粉状などの各種性状のものがある。
【００５１】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５２】
容器本体に収容される噴射対象内容物は、例えば、粉状物，油成分，アルコール類，界面活性剤，高分子化合物，各用途に応じた有効成分などである。
【００５３】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５４】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５５】
アルコール類としては、エタノールなどの１価の低級アルコール，ラウリルアルコールなどの１価の高級アルコール，エチレングリコールなどの多価アルコールなどを用いる。
【００５６】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５７】
高分子化合物としては、ヒドロキシエチルセルロース、メチルセルロース，ゼラチン，デンプン，カゼインなどを用いる。
【００５８】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、パラフェノールスルホン酸亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，過酸化水素水などの酸化剤、リン酸二水素アンモニウム，炭酸水素ナトリウム・カリウムなどの消火剤などを用いる。
【００５９】
さらに、上記内容物以外の、懸濁剤，紫外線吸収剤，乳化剤，保湿剤，酸化防止剤、金属イオン封鎖剤なども用いることができる。
【００６０】
噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００６１】
１：エアゾール容器
１ａ：容器内面
１ｂ：上端環状部
１ｃ：環へこみ状部
１ｄ：内側容器（１ｄ〜１ｆは図１参照）
１ｅ：上端内側環状部
１ｆ：内側環へこみ状部
１ｇ：内側袋状部（１ｇ〜１ｊは図２参照）
１ｈ：上端内側環状部
１ｊ：内側環へこみ状部
１ｋ：蛇腹状部分
【００６２】
２：拡大ハウジング
２ａ：外側筒状部
２ｂ：中央上筒状部
２ｃ：環天井部
２ｄ：中央下筒状部
２ｅ：外側環凹状部
２ｆ：縦溝状部
２ｇ：縦凹状部
２ｈ：縦板リブ状部
２ｊ：縦方向孔部
２ｋ：下内側段部
２ｍ：上外側段部
２ｎ：環鍔状部
２ｐ：スリット状部
２ｑ：流量調整部材
２ｒ：環状段部
【００６３】
３：ステム
３ａ：内部通路域
３ｂ：ステム孔部
３ｃ：内側環凹状部
４：コイルスプリング
５：ステムガスケット
６：ハウジングガスケット
７：中間カバー体
８：カバーキャップ
８ａ：上側環凹状部
８ｂ：環状垂下部
８ｃ：クリンプ加工部
９：パイプ（図１参照）
【図１】
2015107809.tif 000003
【図２】
2015107809.tif 000004
【図３】
2015107809.tif 000005
【図４】
2015107809.tif 000006
【図５】
2015107809.tif 000007